(57)【要約】【課題】ウイルスの感染予防などのマスクの使用において簡易に作成することができるマスク用部材及びこのマスク用部材を用いたマスクを提供する。【解決手段】マスク１００は、スナップボタン１１と第１の孔１２ａと第２の孔１２ｂを有するマスク用部材１０とマスク用本体２０とマスク用紐３０を有し、マスク用部材１０は、折り目Ｌを中心として折り曲げられるよう形成されている。マスク用本体２０の端部には、スナップボタン１１が着脱自在になるように開口が設けられており、この開口を介してスナップボタン１１が噛み合わされ、マスク用本体２０とマスク用部材１０が一体的となる。また、マスク用紐３０の一端を第１の孔１２ａに貫通させ、マスク用紐３０の他端を第２の孔１２ｂに貫通させ、一端と他端を結ぶことにより、マスク用紐３０とマスク用部材１０が一体的となる。【選択図】図１
0003226907.tif 000002
【実用新案登録請求の範囲】
【請求項１】
口と鼻を覆うためのマスク用本体と耳に掛けるためのマスク用紐とともに一体的になるように予め定められた形状と予め定められた素材を有するマスク用部材であって、
中央部に折り目が設けられており、前記折り目を境にして一方の部分である第１の部材と他方の部分である第２の部材を有し、
前記第１の部材に第１の結合部が設けられており、前記第２の部材に第２の結合部が設けられており、
前記第１の結合部と前記第２の結合部は、前記第１の部材と前記第２の部材が、前記折り目を中心に折り曲げられることにより対向し、着脱自在になるように形成されていることを特徴とするマスク用部材。
【請求項２】
前記第１の結合部と前記第２の結合部は、スナップボタンであり、
前記スナップボタンは、１または複数であることを特徴とする請求項１に記載のマスク用部材。
【請求項３】
前記マスク用紐を貫通させるように前記折り目の部分に予め定められた間隔を有するように形成されている第１の孔と第２の孔を有し、
前記スナップボタンは、２つであり、
前記予め定められた形状は板状であり、前記予め定められた素材は、革またはプラスティックであり、
前記マスク用本体の端部には、前記スナップボタンが着脱自在になるように開口が設けられており、前記開口を介して前記スナップボタンが噛み合わされ、前記マスク用本体と前記マスク用部材が一体的になるように形成されており、前記マスク用紐は、前記第１の孔と前記第２の孔に貫通され、前記マスク用紐と前記マスク用部材が一体的になるように形成されていることを特徴とする請求項２に記載のマスク用部材。
【請求項４】
請求項３に記載のマスク用部材とマスク用本体とマスク用紐を有するマスクであって、
２つの前記マスク用部材と一つの前記マスク用本体と２つの前記マスク用紐を用いて形成されており、前記マスク用本体は、キッチンペーパーまたは布で形成されており、前記マスク用紐は、伸縮性を有するゴムを用いて形成されていることを特徴とするマスク。
【考案の詳細な説明】
【技術分野】
【０００１】
本考案は、マスク用部材及びマスクに関する。
【背景技術】
【０００２】
マスクは、風邪の予防、感染拡散の防止などのために古くから使用されており、花粉などの微粒子の吸入防止のために使用されることもある。また、最近ではウイルスの感染予防としての必要性が高まっている。
【先行技術文献】
【特許文献】
【０００３】
【特許文献１】特開２００９−２７３９１０号公報
【考案の概要】
【考案が解決しようとする課題】
【０００４】
上記のウイルスの感染予防などのマスクの使用において、簡易に作成することができるものが求められている。本考案は、こうした点に鑑みてなされたものであり、ウイルスの感染予防などのマスクの使用において簡易に作成することができるマスク用部材及びこのマスク用部材を用いたマスクを提供することである。
【課題を解決するための手段】
【０００５】
上記課題を解決するために、本考案に係るマスク用部材は、口と鼻を覆うためのマスク用本体と耳に掛けるためのマスク用紐とともに一体的になるように予め定められた形状と予め定められた素材を有するマスク用部材であって、中央部に折り目が設けられており、前記折り目を境にして一方の部分である第１の部材と他方の部分である第２の部材を有し、前記第１の部材に第１の結合部が設けられており、前記第２の部材に第２の結合部が設けられており、前記第１の結合部と前記第２の結合部は、前記第１の部材と前記第２の部材が、前記折り目を中心に折り曲げられることにより対向し、着脱自在になるように形成されていることを特徴とする。
【０００６】
本考案に係るマスク用部材の態様について、前記第１の結合部と前記第２の結合部は、スナップボタンであり、前記スナップボタンは、１または複数であることが好ましい。
【０００７】
本考案に係るマスク用部材の態様について、前記マスク用紐を貫通させるように前記折り目の部分に予め定められた間隔を有するように形成されている第１の孔と第２の孔を有し、前記スナップボタンは、２つであり、前記予め定められた形状は板状であり、前記予め定められた素材は、革またはプラスティックであり、前記マスク用本体の端部には、前記スナップボタンが着脱自在になるように開口が設けられており、前記開口を介して前記スナップボタンが噛み合わされ、前記マスク用本体と前記マスク用部材が一体的になるように形成されており、前記マスク用紐は、前記第１の孔と前記第２の孔に貫通され、前記マスク用紐と前記マスク用部材が一体的になるように形成されていることが好ましい。
【０００８】
上記課題を解決するために、本考案に係るマスクは、上記のマスク用部材とマスク用本体とマスク用紐を有するマスクであって、２つの前記マスク用部材と一つの前記マスク用本体と２つの前記マスク用紐を用いて形成されており、前記マスク用本体は、キッチンペーパーまたは布で形成されており、前記マスク用紐は、伸縮性を有するゴムを用いて形成されていることを特徴とする。
【考案の効果】
【０００９】
本考案によれば、ウイルスの感染予防などのマスクの使用において簡易に作成することができるマスク用部材及びこのマスク用部材を用いたマスクを提供することができる。
【図面の簡単な説明】
【００１０】
【図１】実施形態のマスク用部材及びマスクの一例を示す模式図である。
【考案を実施するための形態】
【００１１】
以下、本考案の実施形態であるマスク用部材１０及びマスク１００について図１を用いて説明する。図１（ａ）は、実施形態のマスク用部材１０の一例を示す参考図であり、また、図１（ｂ）は、実施形態のマスク１００の一例を示す参考図である。なお、図１に示す実施形態は、本考案の一例でありこれに限定されず本考案の各構成が適宜最適なものとなればよい。
【００１２】
マスク用部材１０は、口と鼻を覆うためのマスク用本体２０と耳に掛けるためのマスク用紐３０とともに一体的になるように予め定められた形状と予め定められた素材を有するものでる。
【００１３】
すなわち、本考案のマスク用部材１０は、単独に形成されているマスク用本体２０とマスク用紐３０を用いて簡易にマスクとすることができるものである。なお、予め定められた形状は、板状であり、また、予め定められた素材は、革、プラスティックであるが、これらに限定されず適宜最適な形状、素材などを選択すればよい。
【００１４】
マスク用部材１０は、例えば略長方形の板状に形成されており、長手方向の中央部に折り目Ｌが設けられている。この折り目Ｌを中心としてマスク用部材１０は、折り曲げられるように形成されている。マスク用部材１０は、折り目Ｌを境にして一方の部分である第１の部材１０ａと他方の部分である第２の部材１０ｂを有しており、上記の折り曲げにより第１の部材１０ａと第２の部材１０ｂが、対向するように形成されている。
【００１５】
マスク用部材１０は、第１の部材１０ａに第１の結合部が設けられており、前記第２の部材１０ｂに第２の結合部が設けられており、第１の結合部と第２の結合部は、第１の部材１０ａと第２の部材１０ｂが、折り目Ｌを中心に折り曲げられることにより対向し、着脱自在になるように形成されている。
【００１６】
この例においては、第１の結合部と第２の結合部は、スナップボタン１１であり、このスナップボタン１１は、図１に示すように２つであるが、これは一例であり１または複数であってもよく適宜最適な数量にすることができる。また、マスク用本体２０の端部には、スナップボタン１１が着脱自在になるように開口が設けられており、この開口を介してスナップボタン１１が噛み合わされ、マスク用本体２０とマスク用部材１０が一体的になるように構成されている。上記の開口は、マスク用本体２０の長手方向の一方の端部と他方の端部の両方に設けられている。
【００１７】
すなわち、マスク用本体２０は、一方の端部と他方の端部において、スナップボタン１１が、着脱自在になるように開口が設けられており、スナップボタン１１は、第１の部材１０ａと第２の部材１０ｂが、折り目Ｌを中心に折り曲げられることにより対向し、上記の開口を介して着脱自在になるように形成されている。
【００１８】
また、マスク用部材１０は、マスク用紐３０を貫通させるように折り目Ｌの部分に予め定められた間隔を有するように形成されている第１の孔１２ａと第２の孔１２ｂを有している。第１の孔１２ａと第２の孔１２ｂを有することで、マスク用紐３０の一端を第１の孔１２ａに貫通し、且つ、マスク用紐３０の他端を第２の孔１２ｂに貫通し、例えば、上記の一端と他端を結ぶことなどにより、マスク用紐３０とマスク用部材１０を一体的にすることができる。なお、マスク用紐３０をマスク用部材１０と一体的にする方法は、多種あり上記に限定されず適宜最適な方法を選択すればよい。
【００１９】
マスク１００は、スナップボタン１１と第１の孔１２ａと第２の孔１２ｂを有するマスク用部材１０と、マスク用本体２０とマスク用紐３０を有しており、この例においては、２つのマスク用部材１０と一つのマスク用本体２０と２つのマスク用紐３０を用いて構成されている。また、マスク用本体２０は、キッチンペーパーまたは布で形成されており、マスク用紐は、伸縮性を有するゴムを用いて形成されているが、これらに限定されず適宜最適なものを選択すればよい。なお、上記のとおりマスク１００は、２つのマスク用部材１０と一つのマスク用本体２０と２つのマスク用紐３０を用いて構成されているが、これらを用いてマスク１００とすることは、マスク用部材１０の説明で分かるように簡易でありここでは説明を省略する。
【００２０】
上記のとおり本考案のマスク用部材１０及びマスク１００は、ウイルスの感染予防などのマスクの使用において簡易に作成することができるマスク用部材及びこのマスク用部材を用いたマスクを提供することができ、また、本考案のマスク用部材は、キッチンペーパーなどを使用して制作したマスク用本体とゴム紐を用いて簡単にマスクを製作することができる優れた効果を有するものである。また、本考案のマスク用部材１０をユーザーに提供することにより、ユーザーは、例えば、個別にキッチンペーパーでマスク用本体２０を作成し、市販のゴムでマスク用紐３０を作成し、提供されたマスク用部材１０を用いて簡単にマスク１００を手作りなどで作成することができる。
【００２１】
以上、本考案の有する特徴及び優れた点を上記実施形態に記載したが、本考案は、本願の実用新案登録請求の範囲で使用されている言葉を広く一般的な意味に拡張して実施することができる。
【００２２】
また、本考案のマスク用部材及びマスクは、大きさや形状、素材の種類、厚さ、重さなどについては多様な実施形態が可能であり、それらについて本実施形態と異なる形態による実施は、本考案の技術的範囲に含まれる。
【符号の説明】
【００２３】
１００  マスク
１０    マスク用部材
１０ａ  第１の部材
１０ｂ  第２の部材
１１    スナップボタン
１２ａ  第１の孔
１２ｂ  第２の孔
２０    マスク用本体
３０    マスク用紐
Ｌ      折り目
【図１】
0003226907.tif 000003